(57)【要約】【課題】本発明は、照明具を保持した棒状体を腰に巻いて使用するので、長時間の使用の際にも、体への負担が少なくて疲れにくく、また、照明具が２つあるので、正面の他、周囲をも照らすことができる携帯式ライトを提供する。【解決手段】人の腰に装着する携帯式ライトであって、ポリ塩化ビニル被覆鋼線の周りに合成樹脂を備えて屈曲性を有する棒体と、該棒体の両端部に備えた接続具と、それぞれの該接続具によって保持される電源付照明具と、から構成されることを特徴とする携帯式ライト。【選択図】図１
2020080204.tif 000002
【特許請求の範囲】
【請求項１】
人の腰に装着する携帯式ライトであって、ポリ塩化ビニル被覆鋼線の周りに合成樹脂を備えて屈曲性を有する棒体と、該棒体の両端部に備えた接続具と、それぞれの該接続具によって保持される電源付照明具と、から構成されることを特徴とする携帯式ライト。
【請求項２】
前記棒体が、継手手段を用いて延長用の棒体を付加することができることを特徴とする請求項１に記載の携帯式ライト。
【請求項３】
前記合成樹脂が、発泡した柔軟性と弾力性のあるエチレン酢酸ビニル共重合体であることを特徴とする請求項１又は２に記載の携帯式ライト。
【発明の詳細な説明】
【技術分野】
【０００１】
本発明は、腰などの人体に装着することによって、手放しで、かつ、周囲を照らすことができる携帯式ライトに関するものである。
【背景技術】
【０００２】
従来、夜道を歩く際や夜釣りの際に、懐中電灯を手に持って前方や見たい箇所を照らしていた。しかし、懐中電灯を手に持つと、片手がふさがり荷物が持てないし、咄嗟の際に手が十分に使えず危険であった。そこで、両手が空くように、頭部にライトをバンドで固定し、両手が空いた状態で目の前を照らすことができるヘッドライトが発明されており、例えば、頭部に装着するＬＥＤを用いた装着型ヘッドライトが先行技術として開示されている（文献１）。
【先行技術文献】
【特許文献】
【０００３】
【特許文献１】特開第２０１４−１３５２７７号公報。
【発明の概要】
【発明が解決しようとする課題】
【０００４】
装着型ヘッドライトは、両手が空いて、しかも、ライトの照射する向きを上下に回動できるいう点で優れているが、頭部に装着して顔の正面方向を照らすので、咄嗟の場合に、視線だけ見たい方向に動かしても、ヘッドライトが追随して動かないので、暗闇の中で何も見えないという問題があった。また、頭部に重さのあるヘッドライトを装着するので肩が凝るし、また、強く締め付けられないので、走った際には、ずり落ちるという不都合があった。
【０００５】
本発明は、これらの問題を解決したものであって、照明具を保持した棒状体を腰に巻いて使用するので、長時間の使用の際にも、体への負担が少なくて疲れにくく、また、照明具が２つあるので、正面の他、周囲をも照らすことができる携帯式ライトを提供するものである。
【課題を解決するための手段】
【０００６】
本発明の請求項１に係る携帯式ライトは、人の腰に装着する携帯式ライトであって、ポリ塩化ビニル（以下、ＰＶＣ）被覆鋼線の周りに合成樹脂を備えて屈曲性を有する棒体と、該棒体の両端部に備えた接続具と、それぞれの該接続具によって保持される電源付照明具と、から構成されることを特徴とする。
【０００７】
この構成を採用することによって、本発明に係る請求項１の携帯式ライトは、。屈曲性を有する棒体を、人の腰に巻き付けて、端部を捻るだけで二つの照明具を簡単に固定することができる。よって、本願携帯式ライトは、簡単に腰に固定できて、また、腰に装着するので体への負担も小さく疲れない。よって、長時間使用できる。また、腰骨に載せていて、棒体の端部を捻って体にフィットさせることができるので、照明具がずれることもない。
【０００８】
また、照明具が２つあって、それぞれ独立してセットできるので、夜道を歩く際に使用すれば、前方の遠くと、足元の２箇所を同時に照らすことができる。また、照明具２つで、同じ箇所を照らせば、明るさを増幅させることもできる。
【０００９】
本発明の請求項２に係る携帯式ライトは、請求項１に記載の携帯式ライトにおいて、前記棒体が、継手手段を用いて延長用の棒体を付加することができることを特徴とする。
【００１０】
この構成を採用することにより、本発明に係る請求項２の携帯式ライトは、棒体の長さを延長できるので、腰周りの太さに適切に合わせることができる。よって、太った人にも装着できるし、同一人物でも、夏季の薄着や、冬季の厚着にも対応できて、腰周りに過不足なくぴったりと装着できるので、ずれないし、また、外観も見映えがよい。
【００１１】
本発明の請求項３に係る携帯ライトは、請求項１又は２に記載の携帯式ライトにおいて、前記合成樹脂が、発泡した柔軟性と弾力性のあるエチレン酢酸ビニル共重合体（以下、ＥＶＡ）であることを特徴とする。
【００１２】
これらの構成を採用することにより、本発明に係る携帯式ライトは、棒体を柔軟に変形させることができる。また、ＥＶＡとＰＶＣ被覆鋼線との間が剥がれることがない。この剥がれがないので、ＰＶＣ被覆鋼線とＥＶＡとが一体となって自由な形に曲げることができると共に、棒体の強度とＥＶＡの柔軟性が強調して発揮できる。よって、使用時は、腰に沿って巻きつけることができるし、収納時は、コンパクトに折りたたむことができる。
【発明の効果】
【００１３】
本発明に係る請求項１から３に記載の携帯式ライトによれば、腰に巻きつけて端部を捻るだけで固定できるので、簡単に装着できると共に、ずれたり、動いたりしない。よって、照射したいポイントを確実に照射できる。また、照明具が２つあるので、遠方と足元とを同時に２箇所照らすことができるし、同じ箇所を同時に照らすことによって、照度を増幅できる。また、腰に載せて使用するので、疲労しにくく、長時間使用できる。また、棒体を連結又は切り離すことによって棒体の長さを調節できるので、体格や服装に合わせて、ジャストフィットさせることができるし、また、全体がスマートな携帯ライトであるので、見た目もよい。また、収納時もコンパクトに折りたたむことができて、持ち運びに便利である。
【図面の簡単な説明】
【００１４】
【図１】図１は、本発明を実施するための形態に係る携帯式ライトの模式的斜視図である。
【図２】図２は、本発明を実施するための形態に係る携帯式ライトの使用状態を示す模式的斜視図である。
【図３】図３は、本発明を実施するための形態に係る携帯式ライトの棒体の接続部を示す模式的斜視図である。
【発明を実施するための形態】
【００１５】
本発明に係る携帯式ライト１は、図１に示すように、屈曲性を有する棒体２−１と、棒体２−１の両端部に備えられた接続具３と、接続具３によって連結され、電源を内蔵された照明具５と、を少なくとも備えている。
【００１６】
棒体（基本部）２−１は、中心部に、直径０．５〜３．０ｍｍの鋼線２−３を備え、その周囲を２層の合成樹脂２−４、２−５で覆っている。内側の合成樹脂２−４は、芯材の鋼線２−３に厚み０．３〜１ｍｍ押出し成形して被覆して保護し、錆を防止すると共に、外側の合成樹脂との接着も良好にする。また、外側の合成樹脂２−５は、直径１０ｍｍ〜２０ｍｍであって、柔軟性と弾力性に富んでいて、クッションの役割を果たすので、使用者１０の腰に装着した際に、圧迫によって痛くならない。また、発泡性の合成樹脂なので、ある程度摩擦があって、腰からずれない。内側の合成樹脂２−４としては、例えば、ポリ塩化ビニル（ＰＶＣ）があり、外側の合成樹脂２−５としては、例えば、エチレン酢酸ビニル共重合体を発泡させたもの（ＥＶＡ）が、軽量でクッション性に富み千切れにくく、低温下でも柔軟性を持ち、また、耐久性や耐候性にも優れ、水にも強い特徴があるので、好適である。なお、長さは、６０ｃｍ〜８０ｃｍである。
【００１７】
棒体２−２（延長部）は、図３に示すように、オスねじ２−６とメスねじ２−７とを用いて、棒体（基本部）２−１の両端に、単数又は複数個を連結して、棒体の長さを延長できる。よって、腰周りの太さに応じて、棒体２−１と２−２の延長の長さを変えて、腰周りにフィットさせることができる。よって、太った人から、痩せた人まで対応できる。また、同一人物が使用しても、夏季と冬季で着込む量が変わっても、着込んだ服に合わせて、その外周に装着してフィットさせることができる。なお、棒体２−２の長さは、１０ｃｍから２０ｃｍである。
【００１８】
接続具３は、棒体２−１、２−２の両端に設けられていて、照明具４を棒体２−１、２−２に支持させることができる。接続具３は、照明具４を固定又は回動自在に固定することができればよく、例えば、合成樹脂製、金属製、布製、皮製で形成した、クリップ、面テープ、ねじ式、バンド式で取り付けることができる。また、接続具３にボールジョイントを用いれば、照明具４を、３６０度自在に向けることができて固定することができる。
【００１９】
照明具４は、電源を内蔵したライトである。例えば、懐中電灯やペンライトが好適であり、また、ＬＥＤを用いれば、明るくて、かつ、消費電力が少なく好適である。電源は、乾電池、ボタン電池、充電式電池でもよい。
【００２０】
次に、本発明に係る携帯式ライト１の製造方法の一例を説明する。鋼線３−１の外周にＰＶＣ２−４を押出し成形してコーティングする。次いで、ＰＶＣ２−４を被覆した鋼線３−１を芯にして、ＥＶＡ２−５を押出し成形により被覆する。この端部にオスねじ２−６を鋼線２−３に接着して、棒体２−１を作成する。同様にして、端部にメスねじ２−７を鋼線２−３に接着して固定した棒体２−２を作成する。そして、棒体２−１の両端に棒体２−２をねじ込んで固定し、棒体２−２の両端に、ゴム製のバンド３で、ＬＥＤ式懐中電灯４を括り付けて固定して完成する。なお、鋼線３−１にＰＶＣ２−４をコーティングする代わりに市販のＰＶＣ２−４被覆鋼線３−１を使用してもよい。
【００２１】
次に、本発明に係る携帯式ライト１の使用方法の一例を説明する。夜道を歩く際に、図３に示すように、本発明に係る携帯式ライト１を使用者１０の腰に巻いて棒体２−１、２−２の端部を捻って結んで腰に固定する。そして、棒体２−２の両端に固定されたＬＥＤ式懐中電灯４のスイッチを入れて、暗闇に向かって光を照射する。照射する方向は、２つの懐中電灯４のうち、一方の懐中電灯４を前方正面に向け、他方の懐中電灯４を足元に向けて歩く。すると、同時に二箇所照らすことができ、しかも、使用者１０は、見たい方向に視線を向けるだけで視認できるので、暗い夜道を安全に歩くことができる。また、二つの懐中電灯４で、同じ箇所を同時に照射すれば、明るさを増幅することができる。なお、棒体２−１、２−２で曲げて照射方向を決めることもできるし、接続具３によっても照射方向を決めることができる。
【００２２】
本願携帯式ライト１は、棒体２−１、２−２は、直径約１ｍｍの鋼線にＰＶＣ２−４をコーティングし、さらに発泡したエチレン酢酸ビニル共重合樹脂（ＥＶＡ）２−５を被覆しているだけなので、小型の懐中電灯４と相まって、非常に軽く、また、腰骨に載せて巻き付けて使用するので疲れないし、また、両手が空いているので安全に使用できる。
【００２３】
本発明に係る携帯式ライト１は、両手が開いていて、また、複数個所を照らしたり、明るさを増幅したりできるので、夜道の散歩やジョギング、犬の散歩、夜釣り、キャンプ時，及び災害発生時に最適である。
【産業上の利用可能性】
【００２４】
携帯用の照明の分野で広く利用できる。
【符号の説明】
【００２５】
１：携帯式ライト
２−１：棒体（基本部）        ２−２：棒体（延長部）      ２−３：鋼線
２−４：合成樹脂（内側）      ２−５：合成樹脂（外側）
２−６：オスねじ              ２−７：メスねじ
２−８：接続部
３：接続具
４：照明具（電池付）
５：結束点
１０：使用者
【図１】
2020080204.tif 000003
【図２】
2020080204.tif 000004
【図３】
2020080204.tif 000005